(57)【要約】【課題】人目に触れないようおむつを交換することを可能にする、乳幼児等を覆うためのケープを提供することを目的とする。【解決手段】乳幼児の体を覆うケープであって、第一の開口部と第二の開口部とを有し、第二の開口部は、近傍に第二の開口部に沿うように変形する芯材を具備する。【選択図】図１
2015187321.tif 000002
【特許請求の範囲】
【請求項１】
人の体を覆うケープであって、
第一の開口部と第二の開口部とを有し、第二の開口部は、近傍に該第二の開口部に沿うように変形する芯材を具備することを特徴とするケープ。
【請求項２】
人の体を覆うケープであって、
該ケープを構成する四辺のうち、各々対向する二辺を形成する第一の端辺部と第二の端辺部及び第三の端辺部と第四の端辺部とを有し、該第三の端辺部と該第四の端辺部とが着脱自在に結合するように、該第三の端辺部或いは該第四の端辺部いずれか一方の近傍に着脱部材を具備し、さらに、第二の端辺部は、近傍に該第二の端辺部に沿うように変形する芯材を具備することを特徴とするケープ。
【請求項３】
前記ケープは、防水性の材料で形成されることを特徴とする請求項１或いは請求項２いずれかに記載のケープ。
【請求項４】
前記ケープは、任意の箇所に少なくとも２つの切込部を有することを特徴とする請求項３に記載のケープ。
【請求項５】
前記芯材は、前記第二の開口部の円周方向に沿って曲がることを特徴とする請求項１に記載のケープ。
【請求項６】
前記第一の端辺部及び前記第二の端辺部は、前記第三の端辺部と前記第四の端辺部とが結合した場合に、各々が第一の開口部及び第二の開口部を形成し、前記芯材は、前記第二の開口部の円周方向に沿って曲がることを特徴とする請求項２に記載のケープ。
【請求項７】
前記芯材は、プラスチック材料で形成されることを特徴とする請求項１或いは請求項２いずれかに記載のケープ。
【請求項８】
前記芯材は、金属材料で形成されることを特徴とする請求項１或いは請求項２いずれかに記載のケープ。
【請求項９】
前記ケープの、前記第一の開口部と前記第二の開口部との間に、前記第一の開口部の中心点からみて円周方向に沿うように第二の変形する芯材を具備することを特徴とする請求項１に記載のケープ。
【発明の詳細な説明】
【技術分野】
【０００１】  本発明は、乳幼児等を覆うためのケープに関する。
【背景技術】
【０００２】  一般に、乳幼児等の身体を覆うケープとして、母親が授乳時に身体（胸部）を隠す目的に使用される授乳用ケープが広く知られている。【０００３】  例えば、特許文献１は、授乳用ケープとして発揮される機能に加え、乳幼児の防寒等の用途に資するようなケープを開示している。
【先行技術文献】
【０００４】
【特許文献１】特開２０１０−２４２２７０号
【発明の概要】
【発明が解決しようとする課題】
【０００５】しかしながら、特許文献１をはじめ、授乳時に母親の胸部を隠すために提供されるケープは多く開示されるが、例えば、人目に触れぬようおむつ交換を行う必要が生じる場面もある一方、上記文献で開示されるケープはこうした場面において、乳幼児の下半身を隠すように覆うことを想定したものでない。また、乳幼児に限らず介護時におむつ交換を行う必要が生じる場面もある。【０００６】そこで、本発明は、人目に触れないようおむつを交換することを可能にする、乳幼児等を覆うためのケープを提供することを目的とする。
【課題を解決するための手段】
【０００７】  本発明の１つの態様は、乳幼児の体を覆うケープであって、第一の開口部と第二の開口部とを有し、第二の開口部は、近傍に該第二の開口部に沿うように変形する芯材を具備することを特徴とする。【０００８】  本発明の別の態様は、乳幼児の体を覆うケープであって、該ケープを構成する四辺のうち、各々対向する二辺を形成する第一の端辺部と第二の端辺部及び第三の端辺部と第四の端辺部とを有し、該第三の端辺部と該第四の端辺部とが着脱自在に結合するように、該第三の端辺部或いは該第四の端辺部いずれか一方の近傍に着脱部材を具備し、さらに、第二の端辺部は、近傍に該第二の端辺部に沿うように変形する芯材を具備することを特徴とする。【０００９】  ここで、前記第一の端辺部及び前記第二の端辺部は、前記第三の端辺部と前記第四の端辺部とが結合した場合に、各々が第一の開口部及び第二の開口部を形成し、前記芯材は、前記第二の開口部に沿って長手方向に配置され、該開口部の円周方向に沿って曲がることを特徴とする。【００１０】  前記ケープは、防水性の材料で形成されることを特徴とする。【００１１】  また、前記ケープは、任意の箇所に少なくとも２つの切込部を有することを特徴とする。【００１２】  前記芯材は、前記第二の開口部の円周方向に沿って曲がることを特徴とする。【００１３】  前記芯材は、プラスチック材料で形成されることを特徴とする。【００１４】  前記芯材は、金属材料で形成されることを特徴とする。【００１５】  前記ケープの、前記第一の開口部と前記第二の開口部との間に、前記第一の開口部の中心点からみて円周方向に沿うように第二の変形する芯材を具備することを特徴とする。
【発明の効果】
【００１６】  本発明の構成により、簡易な方法により、外出先にて人目に触れないようおむつを交換することが可能となる。
【図面の簡単な説明】
【００１７】
【図１】本発明の第一の実施の形態における乳幼児を覆うケープの構成を示す図である。
【図２】本発明の第二の実施の形態における乳幼児を覆うケープの構成を示す図である。
【図３】本発明の第一の実施の形態における乳幼児を覆うケープの使用例を示す図である。
【図４】本発明の第三の実施の形態における乳幼児を覆うケープの構成を示す図である。
【図５】本発明の第四の実施の形態における乳幼児を覆うケープの構成を示す図である。
【図６】本発明の第一の実施の形態における乳幼児を覆うケープの別の使用例を示す図である。
【図７】本発明の第五の実施の形態における乳幼児を覆うケープの構成を示す図である。
【図８】本発明の第五の実施の形態における乳幼児を覆うケープの使用例を示す。
【図９】本発明の第一の実施の形態における乳幼児を覆うケープの折り畳み例を示す。
【発明を実施するための形態】
【００１８】  以下、適宜図面を参照しながら本発明のいくつかの実施の形態につき説明する。
【００１９】  図１は、本発明の第一の実施の形態における乳幼児を覆うケープの構成を示す図である。ケープ１００は、布１３０と、布１３０の両端を構成し、乳幼児の身体を通す開口部となる第一の開口部１１０及び第二の開口部１２０を有する。
【００２０】  開口部１１０は、乳幼児のおむつ替えの位置より上半身側に装着されるため、乳幼児の胴囲相当の口径を有することが好ましい。また、ケープ１００を頭部から肩を通過して胴体に装着することを想定し、開口部１１０を布製のゴム等の伸縮性のある部材により形成することもできる。または、開口部１１０から、図１の略半径方向にスリット（図示せず）を設けることで、開口部の大きさを微調整できるようにしてもよい。
【００２１】  開口部１２０は、開口部１１０が乳幼児の上半身側に装着されるのに対し、下半身側に配置される。乳幼児のおむつ替えは開口部１２０の側より行うので、作業領域の確保のために、開口部１２０は、開口部１１０より口径が大きく形成されることが好ましい。この際、開口部１２０が配置される位置は、おむつ替えの様子が人目に触れぬよう乳幼児の股より十分下側に配置されることを想定するため、開口部１１０と開口部１２０との間の距離（いわゆる、裾の長さ）は、これを想定した長さであることが好ましい。なお、ここで「開口部」と表現しているが、ケープとして使用の際に乳幼児等の身体を中に通すために適した形状であり、ケープの製造方法として、矩形の布の二辺を縫合や着脱する方法、略円形の布の中心部に穴を開ける方法等考えられるが、上記趣旨に反しない限りにおいて「開口部」の定義の範疇に属する。
【００２２】  布１３０は、乳幼児の尿や排泄物に耐えうるよう防水性であることが好ましく、十分に頑丈であることが好ましい。布１３０に防水性のコーティングを施すことも考えられる。
【００２３】  また、本実施の形態においては、開口部１２０の近傍に、開口部に沿って変形する芯材１４０を配置することを特徴とする。さらに具体的には、図示のように、芯材１４０は、開口部１２０の円周方向に沿って湾曲することを特徴とする。芯材１４０は、乳幼児の安全を考慮し、外に露出することのないよう、布１３０又は追加の布で芯材１４０を覆うよう構成することが好ましい。このように、芯材１４０を配置することで、乳幼児にケープ１００を装着したときに、布１３０と乳幼児の身体との間に作業スペースを確保できる。芯材１４０として、上記の用途を考慮し、軽量で、曲げ弾性や曲げ強度といった曲げ特性に優れた材料が好ましく、例えば、熱可塑性樹脂等のプラスチック材料を使用することも考えられる。また、ケープの形状に適合するものとして、樹脂パイプや樹脂チューブのように、細長い部材であることが好ましい。または、同様の特性を有すれば金属材料を用いることもできる。
【００２４】  図３に、本実施の形態における乳幼児を覆うケープの使用例を示す。図３においては、略水平面に横たわる乳幼児のおむつ替えを行う場面を想定している。図示の通り、ケープ１００は、開口部１１０を乳幼児の胴体に装着することで使用される。乳幼児が手でおむつを触らないように、手より下半身側の胴部にケープ１００を装着することが好ましい。上述の通り、開口部１２０に芯材１４０を配置しているため、開口部１２０の形状が保持され、これに伴い、布１３０と乳幼児身体との間に空間を確保することができる。さらに、開口部１２０からケープ１００の使用者が手を入れて、実際に作業することができる。乳幼児がおむつ替えの際に暴れることを想定すると、上記空間を安定的に確保することが好ましく、芯材１４０として、曲げ特性に優れた部材であることが好ましい。以上のように、ケープ１００を使用することで、人目に触れずにおむつ交換を行うことが可能となるとともに、安定した作業を行うことができる。
【００２５】図６に、本発明の第一の実施の形態における乳幼児を覆うケープの別の使用例を示す。図６においては、略水平面に横たわる乳幼児のおむつ替えを行う場面を想定している。図示の通り、ケープ１００は、開口部１１０を乳幼児の首周辺に装着することで使用される。乳幼児が手でおむつを触らないように、肩周辺部に乳幼児の腕を通すための貫通穴を設け、腕が外に出るように使用されることが好ましい。上述の通り、開口部１２０に芯材１４０を配置しているため、開口部１２０の形状が保持され、これに伴い、布１３０と乳幼児身体との間に空間を確保することができる。さらに、開口部１２０からケープ１００の使用者が手を入れて、実際に作業することができる。乳幼児がおむつ替えの際に暴れることを想定すると、上記空間を安定的に確保することが好ましく、芯材１４０として、上記の用途を考慮し、軽量で曲げ特性に優れた材料が好ましい。以上のように、ケープ１００を使用することで、人目に触れずにおむつ交換を行うことが可能となるとともに、安定した作業を行うことができる。
【００２６】  図９に、本発明の第一の実施の形態における乳幼児を覆うケープの折り畳み例を示す。本実施の形態のケープ１００は、上述の通り、ケープ１００の芯材１４０に、曲げ特性に優れた部材を用いることで、図９（ａ）から（ｄ）のように、ケープ１００をコンパクトに折り畳むことが可能になる。図９（ｄ）のように、折り畳んだうえで、図示しない袋等に入れることで、ケープ１００の折り畳み後の形状を保持したまま保管することができる。ここで、上記折りたたみの方法は一例であって、他に芯材１４０を８の字に折り曲げて、続けて小さな０の字に折り畳むことで保管する方法等も考えられる。
【００２７】  図２は、本発明の第二の実施の形態における乳幼児を覆うケープの構成を示す図である。ケープ２００は、布２５０と、布２５０の両端を構成し、対向する第一の端辺部２１０と第二の端辺部２２０及び第三の端辺部２３０と第四の端辺部２４０を有する。端辺部２１０は、乳幼児のおむつ替えの位置より上半身側に装着されるため、乳幼児の胴囲相当の長さを有することが好ましい。また、ケープ２００を頭部から肩を通過して胴体に装着することを想定し、端辺部２１０を布製のゴム等の伸縮性のある部材により形成することもできる。または、端辺部２１０から、図３の略半径方向にスリット（図示せず）を設けることで、開口部の大きさを微調整できる。
【００２８】  端辺部２２０は、端辺部２１０が乳幼児の上半身側に装着されるのに対し、下半身側に配置される。乳幼児のおむつ替えは端辺部２２０の側より行うので、作業領域の確保のために、端辺部２２０は、端辺部２１０より長く形成されることが好ましい。この際、端辺部２２０が配置される位置は、おむつ替えの様子が人目に触れぬよう乳幼児の股より十分下側に配置されることを想定するため、端辺部２１０と端辺部２２０との間の距離（いわゆる、裾の長さ）は、これを想定した長さであることが好ましい。
【００２９】  端辺部２３０と端辺部２４０は、着脱部材２７０ａ、２７０ｂにより、自由に着脱可能となっている。着脱部材としては、例えば、面ファスナーが着脱しやすくて好適である。他にも、スライドファスナー、ボタン、テープ、紐等を適用してもよい。このように、着脱部材を具備することで、おむつ交換に際してケープを乳幼児に装着しやすくなる。また、様々なサイズの乳幼児に対応するため、着脱部材を配置する位置を変更することもできる。端辺部２３０と端辺部２４０とを、着脱部材によって接合することで、端辺部２１０と端辺部２２０の各々の端部が接合されて、各々に対応する開口部が形成される。
【００３０】  本実施の形態においては、端辺部２２０の近傍に、端辺部２２０に沿って変形する芯材２６０を配置することを特徴とする。芯材２６０は、乳幼児の安全を考慮し、外に露出することのないよう、布２５０又は追加の布で芯材２６０を覆うよう構成することが好ましい。さらに具体的には、図示のように、芯材２６０は、端辺部２２０で形成される開口部の円周方向に沿って曲がることを特徴とする。このように、芯材２６０を配置することで、乳幼児にケープ２００を装着したときに、布２５０と乳幼児の身体との間に作業スペースを確保できる。また、ケープ２００を小さく折り畳んだときでも、これに伴って芯材２６０が変形するので、携帯して持ち運びやすくすることもできる。芯材２６０として、携帯性を考慮すれば、プラスチック材料のように軽量で曲げ特性に優れた部材を使用することが好ましい。
【００３１】  図４は、本発明の第三の実施の形態における乳幼児を覆うケープの構成を示す図である。図４における第一の開口部４１０、第二の開口部４２０、布４３０、芯材４４０は、各々図１における、第一の開口部１１０、第二の開口部１２０、布１３０、芯材１４０に対応するため説明を省略する。
【００３２】  本実施の形態においては、ケープ４００は、布４３０の任意の位置にスリット４５０ａ、４５０ｂを具備することを特徴とする。上述の通り、例えば、ケープ１００に芯材１４０を配置することで、乳幼児にケープ１００を装着したときに開口部１２０からケープ１００の使用者が手を入れて、実際に作業することができるものの、スリット４５０ａ、４５０ｂから手を入れることで、乳幼児のプライバシーを更に確保することが可能となる。この場合、スリットを複数設けたほうが、両手で作業しやすくなる。
【００３３】  図５は、本発明の第四の実施の形態における乳幼児を覆うケープの構成を示す図である。図５における第一の開口部５１０、第二の開口部５２０、布５３０、芯材５４０は、各々図１における、第一の開口部１１０、第二の開口部１２０、布１３０、芯材１４０に対応するため説明を省略する。
【００３４】  本実施の形態においては、ケープ５００は、布５３０の開口部５１０と開口部５２０との間の任意の箇所に芯材５５０を配置することを特徴とする。芯材５５０は、乳幼児の安全を考慮し、外に露出することのないよう、布５３０又は追加の布で芯材５５０を覆うよう構成することが好ましい。このように、芯材５５０を配置することで、乳幼児にケープ５００を装着したときに、布５３０と乳幼児の身体との間に作業スペースをさらに確保できる。
【００３５】  図７は、本発明の第五の実施の形態における乳幼児を覆うケープの構成を示す図である。本実施の形態におけるケープは、主にベビーカーに乳幼児が乗車したまま、おむつ交換をする際に使用されることを想定している。ケープ７００は、布７５０と、布７５０の両端を構成し、対向する第一の端辺部７１０と第二の端辺部７２０及び第三の端辺部７３０と第四の端辺部７４０を有する。
【００３６】  端辺部７１０、７３０及び７４０は、ベビーカーに乗車する乳幼児の上半身側に配置されることを想定しており、特に、端辺部７１０により乳幼児の胴囲又は胸囲を覆いつつ、端辺部７３０及び７４０の近傍に配置される着脱部材７７０ａ、７７０ｂにより、ケープをベビーカーに固定することができる。
【００３７】    端辺部７２０は、端辺部７１０、７３０及び７４０が乳幼児の上半身側に装着されるのに対し、下半身側に配置される。乳幼児のおむつ替えは端辺部７２０の側より行うので、作業領域の確保のために、端辺部７２０は、端辺部７２０より長く形成されることが好ましい。この際、端辺部７２０が配置される位置は、おむつ替えの様子が人目に触れぬよう乳幼児の股より十分下側に配置されることを想定するため、端辺部７１０と端辺部７２０との間の距離（いわゆる、裾の長さ）は、これを想定した長さであることが好ましい。
【００３８】  上述の着脱部材７７０ａ、７７０ｂとして、面ファスナーが着脱しやすくて好適である。他にも、スライドファスナー、ボタン、テープ、紐等を適用してもよい。このように、着脱部材を具備することで、おむつ交換に際してケープをベビーカー等に装着しやすくなる。
【００３９】本実施の形態においては、他の実施の形態同様、端辺部７２０の近傍に、端辺部７２０に沿って変形する芯材７６０を配置することを特徴とする。芯材７６０は、乳幼児の安全を考慮し、外に露出することのないよう、布７５０又は追加の布で芯材７６０を覆うよう構成することが好ましい。さらに具体的には、図示のように、芯材７６０は、端辺部７２０で形成される開口部の円周方向に沿って曲がることを特徴とする。このように、芯材７６０を配置することで、ベビーカー等にケープ７００を装着したときに、布７５０と乳幼児の身体との間に作業スペースを確保できる。また、芯材７６０が弾性率の高い部材であれば、ケープ７００を小さく折り畳んだときでも、これに伴って変形するので、携帯して持ち運びやすくすることもできる。携帯性を考慮すれば、プラスチック材料のように軽量で曲げ特性に優れた部材を使用することが好ましい。
【００４０】  図８に、本発明の第五の実施の形態における乳幼児を覆うケープの使用例を示す。ケープ７００の端辺部７１０が乳幼児の胴部又は胸部を覆い、第三の端辺部７３０及び第四の端辺部７４０が着脱部材７７０ａ、７７０ｂによりベビーカーに固定される。端辺部７２０がベビーカーの下側（乳幼児の下半身側）に配置されることで、芯材７６０により作業スペースが確保され、おむつ替えが容易にできる。なお、ケープ７００の装着時に布７５０を乳幼児とベビーカーとの間に配置することで、おむつ替えシートとして使用してもよく、あるいは、急なおむつ替えが必要なときに、とりあえず乳幼児を上から覆うように配置することもできる。
【００４１】  以上、本発明の実施の形態として乳幼児を覆うケープを一例に挙げたが、本発明はこれに限られず、特許請求の範囲によって特定される発明の範囲内において様々な形態をとることが可能である。例えば、乳幼児に限らず、介護の対象となる高齢者等の人を覆うケープに上記実施形態に記載される発明を適用してもよい。また、本明細書において、発明の構成要素が単数もしくは複数のいずれか一方として説明された場合、又は、単数もしくは複数のいずれとも限定せずに説明された場合であっても、文脈上別に解すべき場合を除き、当該構成要素は単数又は複数のいずれであってもよい。
【符号の説明】
【００４２】１００  ケープ、１１０  第一の開口部、１２０  第二の開口部、１３０  布、１４０  芯材、２００  ケープ、２１０  第一の端辺部、２２０  第二の端辺部、２３０  第三の端辺部、２４０  第四の端辺部、２５０  布、２６０  芯材、２７０ａ  着脱部材、２７０ｂ  着脱部材、４００  ケープ、４１０  第一の開口部、４２０  第二の開口部、４３０  布、４４０  芯材、４５０ａ  スリット、４５０ｂ  スリット、５００  ケープ、５１０  第一の開口部、５２０  第二の開口部、５３０  布、５４０  芯材、５５０  芯材、７００  ケープ、７１０  第一の端辺部、７２０  第二の端辺部、７３０  第三の端辺部、７４０  第四の端辺部、７５０  布、７６０  芯材、７７０ａ  着脱部材、７７０ｂ  着脱部材
【図１】
2015187321.tif 000003
【図２】
2015187321.tif 000004
【図３】
2015187321.tif 000005
【図４】
2015187321.tif 000006
【図５】
2015187321.tif 000007
【図６】
2015187321.tif 000008
【図７】
2015187321.tif 000009
【図８】
2015187321.tif 000010
【図９】
2015187321.tif 000011